(57)【要約】【課題】同時録画した番組に対して正確に関連機能を実行する。【解決手段】実施形態の録画装置は、録画手段と、第１表示手段と、選択手段と、第２表示手段と、実行手段と、を備える。選択手段は、第１表示手段が表示した過去番組情報が示す過去番組の中から、過去番組に関わる関連機能を実行する過去番組を選択する。第２表示手段は、選択手段が選択した過去番組に実行する関連機能を選択するための操作画像と、選択手段が選択した過去番組の内容を表す内容情報と、を含む選択画面を表示する。実行手段は、第２表示手段が表示した選択画面に含まれる操作画像が操作された関連機能を、選択手段が選択した過去番組に実行するものであり、操作画像が操作された関連機能が将来放送される番組のうち過去番組に関連する番組の録画を予約する予約機能である場合に、現在以降の番組のうち選択手段が選択した過去番組と同じ番組名が付された番組の録画の予約を実行する。【選択図】図１
2011055549.tif 000002
【特許請求の範囲】
【請求項１】
複数のチューナーを用いて複数のチャンネルの番組を同時録画する録画手段と、
前記同時録画した番組である過去番組を示す過去番組情報を、チャンネル軸と時間軸で構成される過去の電子番組表として表示する第１表示手段と、
前記第１表示手段が表示した前記過去番組情報が示す前記過去番組の中から、前記過去番組に関わる関連機能を実行する前記過去番組を選択する選択手段と、
前記選択手段が選択した前記過去番組に実行する前記関連機能を選択するための操作画像と、前記選択手段が選択した前記過去番組の内容を表す内容情報と、を含む選択画面を表示する第２表示手段と、
前記第２表示手段が表示した前記選択画面に含まれる前記操作画像が操作された前記関連機能を、前記選択手段が選択した前記過去番組に実行するものであり、前記操作画像が操作された前記関連機能が将来放送される番組のうち前記過去番組に関連する番組の録画を予約する予約機能である場合に、現在以降の番組のうち前記選択手段が選択した前記過去番組と同じ番組名が付された番組の録画の予約を実行する実行手段と、
を備えたことを特徴とする録画装置。
【請求項２】
前記第１表示手段は、前記過去番組情報をチャンネル毎に時系列に並べた前記電子番組表を表示することを特徴とする請求項１に記載の録画装置。
【請求項３】
前記関連機能は、前記過去番組を再生する再生機能であることを特徴とする請求項１または２に記載の録画装置。
【請求項４】
前記関連機能は、前記過去番組を他の記憶装置にダビングするダビング機能であることを特徴とする請求項１から３のいずれか一に記載の録画装置。
【請求項５】
録画装置で実行される録画方法であって、
前記録画装置は、記憶部と制御部とを備え、
前記制御部は、
録画手段が、複数のチューナーを用いて複数のチャンネルの番組を同時録画する工程と、
第１表示手段が、前記同時録画した番組である過去番組を示す過去番組情報を、チャンネル軸と時間軸で構成される過去の電子番組表として表示する工程と、
選択手段が、前記第１表示手段が表示した前記過去番組情報が示す前記過去番組の中から、前記過去番組に関わる関連機能を実行する前記過去番組を選択する工程と、
第２表示手段が、前記選択手段が選択した前記過去番組に実行する前記関連機能を選択するための操作画像と、前記選択手段が選択した前記過去番組の内容を表す内容情報と、を含む選択画面を表示する工程と、
実行手段が、前記第２表示手段が表示した前記選択画面に含まれる前記操作画像が操作された前記関連機能を、前記選択手段が選択した前記過去番組に実行するものであり、前記操作画像が操作された前記関連機能が将来放送される番組のうち前記過去番組に関連する番組の録画を予約する予約機能である場合に、現在以降の番組のうち前記選択手段が選択した前記過去番組と同じ番組名が付された番組の録画の予約を実行する工程と、
含むことを特徴とする録画方法。
【請求項６】
前記第１表示手段は、前記過去番組情報をチャンネル毎に時系列に並べた前記電子番組表を表示することを特徴とする請求項５に記載の録画方法。
【発明の詳細な説明】
【技術分野】
【０００１】
本発明の実施形態は、録画装置および録画方法に関する。
【背景技術】
【０００２】
特許文献１には、録画した番組を一覧表示し、一覧表示した番組の中から特定の番組が選択されると、選択された番組を再生する再生機能や将来放送される番組のうち選択された番組に関連する番組（例えば、連続ドラマの番組など）の録画を予約する予約機能など、選択された番組に関わる関連機能を選択するための操作メニューを表示し、操作メニューの中から選択された関連機能を実行する録画装置が開示されている。
【先行技術文献】
【特許文献】
【０００３】
【特許文献１】特開２００９−４４４４２号公報
【発明の概要】
【発明が解決しようとする課題】
【０００４】
ところで、複数のチューナーを使用して複数チャンネルの番組を同時録画する機能を備えた録画装置を利用するユーザは、自身が観たいと思っている番組を意識せず、ある特定の時間帯（例えば、ゴールデンタイムなど）の番組を同時録画する場合がある。このような場合に同時録画した番組を一覧表示すると、一覧表示された番組の中にはユーザが関連機能の実行を意図する番組以外の番組が多く含まれてしまうため、特許文献１に記載の録画装置のように、一覧表示された番組の中から番組が選択された場合に、単に、操作メニューを表示するだけでは、ユーザが意図しない番組に対して誤って関連機能を実行してしまう場合ある、という課題がある。
【０００５】
本発明は、上記に鑑みてなされたものであって、同時録画した番組に対して正確に関連機能を実行することができる録画装置および録画方法を提供することを目的とする。
【課題を解決するための手段】
【０００６】
実施形態の録画装置は、録画手段と、第１表示手段と、選択手段と、第２表示手段と、実行手段と、を備える。前記録画手段は、複数のチューナーを用いて複数のチャンネルの番組を同時録画する。前記第１表示手段は、前記同時録画した番組である過去番組を示す過去番組情報を、チャンネル軸と時間軸で構成される過去の電子番組表として表示する。前記選択手段は、前記第１表示手段が表示した前記過去番組情報が示す前記過去番組の中から、前記過去番組に関わる関連機能を実行する前記過去番組を選択する。前記第２表示手段は、前記選択手段が選択した前記過去番組に実行する前記関連機能を選択するための操作画像と、前記選択手段が選択した前記過去番組の内容を表す内容情報と、を含む選択画面を表示する。前記実行手段は、前記第２表示手段が表示した前記選択画面に含まれる前記操作画像が操作された前記関連機能を、前記選択手段が選択した前記過去番組に実行するものであり、前記操作画像が操作された前記関連機能が将来放送される番組のうち前記過去番組に関連する番組の録画を予約する予約機能である場合に、現在以降の番組のうち前記選択手段が選択した前記過去番組と同じ番組名が付された番組の録画の予約を実行する。
【図面の簡単な説明】
【０００７】
【図１】図１は、本実施の形態にかかるテレビジョン装置の構成を示すブロック図である。
【図２】図２は、制御部の機能構成を示すブロック図である。
【図３】図３は、過去番組表の一例を示す図である。
【図４】図４は、選択画面の一例を示す図である。
【図５】図５は、過去番組に対する関連機能の実行処理の流れを示すフローチャートである。
【発明を実施するための形態】
【０００８】
以下に添付図面を参照して、この発明にかかる録画装置および録画方法の最良な実施の形態を詳細に説明する。なお、以下の実施の形態では、本発明の録画装置および録画方法をテレビジョン装置に適用した例を示すが、これに限定されるものではない。
【０００９】
図１は、本実施の形態にかかるテレビジョン装置の構成を示すブロック図である。テレビジョン装置１００は、デジタル放送受信用チューナーを搭載するテレビジョン装置であり、アンテナ１０１、チューナー１〜Ｎ（１０２）、信号処理部１０３、映像処理部１０４、表示処理部１０５、ディスプレイ表示部１０６、音声処理部１０７、スピーカ１０８、通信ライン１０９、制御部１１０、ＲＡＭ１１１、ＲＯＭ１１２、内蔵ＨＤＤ１１３、ＵＳＢコネクタ１１４、キーボード１１６、および受光部１１７を備えて構成されている。
【００１０】
アンテナ１０１は、ＢＳ、ＣＳ、地上波等のデジタル放送を受信する。アンテナ１０１で受信されたデジタル放送は、チューナー１〜Ｎ（１０２）に供給される。チューナー１〜Ｎ（１０２）は、デジタル放送から、ユーザが指示した視聴用のチャンネルの放送信号を選択的に受信し、受信した放送信号の復調処理を行い、復調した放送信号を信号処理部１０３に出力する。
【００１１】
信号処理部１０３は、チューナー１〜Ｎ（１０２）から供給された放送信号から映像信号、音声信号、その他の信号を分離し、複数あるこれらの信号から所望の信号を抽出する。そして、信号処理部１０３は、抽出された映像信号を映像処理部１０４に出力するとともに、抽出された音声信号を音声処理部１０７に出力する。
【００１２】
映像処理部１０４は、信号処理部１０３または制御部１１０から供給された映像信号の画角や色などを適切に調整する処理を行い、調整された映像信号を表示処理部１０５に出力する。
【００１３】
表示処理部１０５は、映像処理部１０４から供給された映像信号をディスプレイ表示部１０６で表示可能なフォーマットの映像信号に変換し、変換された映像信号をディスプレイ表示部１０６に出力する。また、表示処理部１０５は、電子番組表（Electronic  Program  Guide：ＥＰＧ）、オンスクリーンディスプレイ（On  Screen  Display：ＯＳＤ）などの画像信号を生成し、生成された電子番組表やＯＳＤの画像信号を映像信号と共にディスプレイ表示部１０６に出力する。本実施の形態では、表示処理部１０５は、チューナー１〜Ｎ（１０２）により受信可能な各チャンネルの番組を時系列に並べた電子番組表の画像信号を生成するものとする。
【００１４】
音声処理部１０７は、信号処理部１０３または制御部１１０から入力される音声信号をスピーカ１０８で再生可能なフォーマットの音声信号に変換した後、スピーカ１０８に出力する。
【００１５】
制御部１１０は、チューナー１〜Ｎ（１０２）、信号処理部１０３、映像処理部１０４、表示処理部１０５、および音声処理部１０７を制御するものである。制御部１１０は、具体的にはマイコンである。
【００１６】
通信ライン１０９は、チューナー１〜Ｎ（１０２）、信号処理部１０３、映像処理部１０４、表示処理部１０５、音声処理部１０７、および制御部１１０を互いに接続し、制御部１１０と、チューナー１〜Ｎ（１０２）、信号処理部１０３、映像処理部１０４、表示処理部１０５、および音声処理部１０７との間で、データの受け渡しを行うものである。通信ライン１０９は、具体的にはＩＩＣ−ＢＵＳ（Inter-IC-Bus）である。
【００１７】
ＲＡＭ（Random  Access  Memory）１１１およびＲＯＭ（Read  Only  Memory）１１２は、様々なデータを記憶しており、制御部１１０との間で、これらのデータの受け渡しが行われる。
【００１８】
キーボード１１６は、ユーザがテレビジョン装置１００への様々な要求を入力するスイッチである。受光部１１７は、ユーザからの要求に応じてリモコン１１８が発信する信号を受信する。リモコン１１８には、０から９までの数字を入力するためのテンキー、チャンネルを選択するためのチャンネルアップキーおよびチャンネルダウンキー、上下左右のいずれかを入力するための方向キー、ディスプレイに表示される放送の種別を切り替えるための放送切替キーなどが設けられている。ＵＳＢ（Universal  Serial  Bus）コネクタ１１４は、ＵＳＢ接続の外付けの記憶装置であるＵＳＢ−ＨＤＤ（Hard  Disk  Drive）１１５などが接続されるものである。
【００１９】
図２は、制御部の機能構成を示すブロック図である。制御部１１０は、録画手段２０１、第１表示手段２０２、選択手段２０３、第２表示手段２０４、実行手段２０５などを備えている。
【００２０】
録画手段２０１は、リモコン１１８から複数チャンネルの番組の同時録画が要求された場合に、チューナー１〜Ｎ（１０２）により受信した複数チャンネルの放送信号から、信号処理部１０３によって抽出された映像信号および音声信号（以下、番組データとする）を内蔵ＨＤＤ１１３に格納することにより、チューナー１〜Ｎ（１０２）により受信した複数チャンネルの番組を同時録画するものである。本実施の形態では、リモコン１１８から同時録画の要求を受けた際、同時録画を行う時間帯の設定を行うものとし、録画手段２０１は、設定された時間帯に複数チャンネルの番組の同時録画を行うものとする。
【００２１】
また、録画手段２０１は、リモコン１１８から同時録画の要求を受けた際、表示処理部１０５から、同時録画した時間帯の番組の電子番組表の画像信号を取得し、取得した電子番組表の画像信号を過去番組表データとして内蔵ＨＤＤ１１３に格納するものとする。
【００２２】
第１表示手段２０２は、リモコン１１８からの過去番組表の表示が要求された場合に、内蔵ＨＤＤ１１３に格納されている過去番組表データを読み出し、読み出した過去番組表データを、表示処理部１０５を介してディスプレイ表示部１０６に出力することにより、過去番組表を、同時録画した番組である過去番組を示す過去番組情報としてディスプレイ表示部１０６に表示するものである。
【００２３】
図３は、過去番組表の一例を示す図である。本実施の形態では、第１表示手段２０２は、図３に示すように、同時録画を行っていない時間帯の過去番組表を表示せず、同時録画した時間帯の過去番組表３００のみをディスプレイ表示部１０６に表示するものとする。したがって、第１表示手段２０２は、同時録画を行った時間帯の過去番組表３００のみを詰めてディスプレイ表示部１０６に表示する。なお、本実施の形態では、同時録画を行っていない時間帯は、過去番組表を表示していないが、これに限定するものではない。例えば、同時録画を行っていない時間帯は番組の再生が不可能なため、グレーアウトさせる等、番組の再生が不可能である旨の表示を行っても良い。
【００２４】
なお、本実施の形態では、過去番組をチャンネル毎に時系列に並べた過去番組表３００を過去番組情報として表示しているが、過去番組を示すものであれば、これに限定するものではない。例えば、過去番組の中から、特定の過去番組（例えば、リモコン１１８から指定された時間帯の過去番組など）を検索する検索手段を有している場合、第１表示手段２０２は、当該検索手段により検索した過去番組の検索結果を一覧表示したものを過去番組情報として表示しても良い。
【００２５】
選択手段２０３は、ディスプレイ表示部１０６に表示された過去番組表が示す過去番組の中から、過去番組を再生する再生機能、過去番組を他の記憶装置（例えば、ＵＳＢ−ＨＤＤ１１５など）にダビングするダビング機能、過去番組を消去する消去機能、将来放送される番組のうち、過去番組に関連する番組（例えば、連続ドラマ番組など）の録画を予約する予約機能など、過去番組に関わる関連機能を実行する過去番組を選択するものである。
【００２６】
本実施の形態では、選択手段２０３は、ディスプレイ表示部１０６に表示された過去番組表が示す過去番組の中から、リモコン１１８に設けられた方向キーを操作してカーソル３０１が当てられた後、リモコン１１８に設けられた決定キーが押下された過去番組を、関連機能を実行する過去番組として選択するものとする。
【００２７】
第２表示手段２０４は、ＯＳＤ（On  Screen  Function）機能により、選択手段２０３により選択した過去番組に実行する関連機能を選択するための操作画像である各種ＯＳＤボタン４０１（図４参照）と、当該選択した過去番組の内容（例えば、番組名、番組を放送した放送局名、番組が放送された日時、番組の簡単な内容など）を表す内容情報４０２（図４参照）と、を含む選択画面４００を、表示処理部１０５を介して、ディスプレイ表示部１０６に表示するものである。
【００２８】
図４は、選択画面の一例を示す図である。本実施の形態では、第２表示手段２０４は、図４に示すように、選択画面４００を、ディスプレイ表示部１０６に表示されている過去番組表３００に重畳させて表示するものとする。なお、選択画面４００に含まれる「見る」が記されたＯＳＤボタン４０１は、再生機能を選択するためのものである。また、選択画面４００に含まれる「残す」が記されたＯＳＤボタン４０１は、ダビング機能を選択するためのものである。また、選択画面４００に含まれる「連ドラ予約」が記されたＯＳＤボタン４０１は、予約機能を選択するためのものである。また、第２表示手段２０４は、選択画面４００が含むＯＳＤボタン４０１のうち、現在のシステム状態において、選択された過去番組に対して実行可能な関連機能のＯＳＤボタン４０１を表示し、選択された過去番組に対して実行不可能な関連機能のＯＳＤボタン４０１をグレーアウトさせるものとする。例えば、選択手段２０３により選択した過去番組以外の過去番組のダビングを実行中の場合、当該選択手段２０３により選択した過去番組のダビングを行うことができないため、第２表示手段２０４は、選択画面４００が含むＯＳＤボタン４０１のうち、ダビング機能を選択するためのＯＳＤボタン４０１をグレーアウトさせる。
【００２９】
実行手段２０５は、リモコン１１８に設けられた方向キーおよび決定キーが押下されて、各種ＯＳＤボタン４０１が操作されると、ＯＳＤボタン４０１が操作された関連機能を、選択手段２０３により選択された過去番組に実行するものである。
【００３０】
例えば、「見る」が記されたＯＳＤボタン４０１が操作された場合、実行手段２０５は、再生機能を実行して、内蔵ＨＤＤ１１３に格納されている過去番組の番組データの中から、選択手段２０３により選択した過去番組の頭（当該過去番組の録画を開始した時刻）を検索し、検索した時刻からの番組データを読み出し、読み出した番組データを映像処理部１０４および音声処理部１０７に出力する。これにより、実行手段２０５は、過去番組の再生を行うものとする。なお、実行手段２０５は、選択手段２０３により選択した過去番組を既に再生中の場合には、当該過去番組の途中から再生を再開する。
【００３１】
また、「残す」が記されたＯＳＤボタン４０１が操作された場合、実行手段２０５は、ダビング機能を実行して、まず、ダビング先（例えば、ＵＳＢ−ＨＤＤ１１５など）を設定する設定画面を、表示処理部１０５を介してディスプレイ表示部１０６に表示する。なお、ダビング先が１つしかない場合、実行手段２０５は、設定画面にダビング先を設定できない旨のワーニングを表示するものとする。次に、設定画面においてダビング先が設定されると、実行手段２０５は、ダビングの実行を確認するための確認画面（例えば、ダビングの実行を指示する「はい」ボタン、およびダビングの実行をキャンセルする「いいえ」ボタンなどを含む）を、表示処理部１０５を介してディスプレイ表示部１０６に表示する。そして、実行手段２０５は、「はい」ボタンが押下された場合、ダビングを実行し、「いいえ」ボタンが押下された場合、ダビングの実行をキャンセルする。なお、本実施の形態では、実行手段２０５は、ＵＳＢコネクタ１１４を介して、番組データをＵＳＢ−ＨＤＤ１１５に格納することにより、ダビングを実行するものとする。
【００３２】
また、「連ドラ予約」が記されたＯＳＤボタン４０１が操作された場合、実行手段２０５は、予約機能を実行して、現在以降の番組（表示処理部１０５により生成された電子番組表に含まれる番組）のうち、選択手段２０３により選択された過去番組と同じ番組名が付された番組（連続ドラマ番組）の予約を実行する。
【００３３】
次に、図５を用いて、過去番組に対する関連機能の実行処理の流れについて説明する。図５は、過去番組に対する関連機能の実行処理の流れを示すフローチャートである。
【００３４】
第１表示手段２０２は、リモコン１１８からの過去番組表３００の表示の要求を待つ（ステップＳ５０１）。そして、リモコン１１８から過去番組表３００の表示が要求されると（ステップＳ５０１：Ｙｅｓ）、第１表示手段２０２は、過去番組表３００をディスプレイ表示部１０６に表示する（ステップＳ５０２）。
【００３５】
過去番組表３００がディスプレイ表示部１０６に表示されると、選択手段２０３は、リモコン１１８に設けられた方向キーおよび決定キーが操作されて、過去番組表３００の中から、関連機能を実行する過去番組が選択されるのを待つ（ステップＳ５０３）。
【００３６】
そして、リモコン１１８に設けられた方向キーが操作されて過去番組にカーソル３０１が当てられた後（ステップＳ５０３：Ｙｅｓ）、リモコン１１８に設けられた決定キーが押下されると、選択手段２０３が、カーソル３０１が当てられた過去番組を、関連機能を実行する過去番組として選択するとともに、第２表示手段２０４が、選択された過去番組に対して実行可能な関連機能を選択するためのＯＳＤボタン４０１および選択された過去番組の内容を表す内容情報４０２を含む選択画面４００を過去番組表３００に重畳させてディスプレイ表示部１０６に表示する（ステップＳ５０４）。
【００３７】
その後、選択画面４００に含まれるＯＳＤボタン４０１が操作されると（ステップＳ５０５：Ｙｅｓ）、実行手段２０５は、ＯＳＤボタン４０１が操作された関連機能を、選択手段２０３により選択された過去番組に実行する（ステップＳ５０６）。
【００３８】
このように本実施の形態にかかるテレビジョン装置１００によれば、チューナー１〜Ｎ（１０２）により受信した複数チャンネルの番組を同時録画し、同時録画した番組である過去番組の過去番組表３００を表示し、表示した過去番組表３００が示す過去番組の中から、過去番組に関わる関連機能を実行する過去番組を選択し、選択した過去番組に実行する関連機能を選択するためのＯＳＤボタン４０１と、選択した過去番組の内容を表す内容情報４０２と、を含む選択画面４００を表示し、表示した選択画面４００に含まれるＯＳＤボタン４０１が押下された関連機能を、選択した過去番組に実行することにより、選択画面４００においてＯＳＤボタン４０１を押下する際に、ユーザは内容情報４０２を確認した上で、ＯＳＤボタン４０１を押下することができるので、同時録画した過去番組に対して正確に関連機能を実行することができる。
【符号の説明】
【００３９】
１００・・・テレビジョン装置、１０２・・・チューナー１〜Ｎ、２０１・・・録画手段、２０２・・・第１表示手段、２０３・・・選択手段、２０４・・・第２表示手段、２０５・・・実行手段、３００・・・過去番組表、４００・・・選択画面、４０１・・・ＯＳＤボタン、４０２・・・内容情報
【図１】
2011055549.tif 000003
【図２】
2011055549.tif 000004
【図３】
2011055549.tif 000005
【図４】
2011055549.tif 000006
【図５】
2011055549.tif 000007